(57)【要約】
【課題】  廃棄の際に分別作業をする必要がなく焼却可能な紙製蓋とカップに、自己宣伝広告を施す者以外の受注広告の宣伝を行う、紙カップと蓋を提供すること。
【解決手段】紙製カップ上端のリング状フランヂの外周直径と、円形状の頂板部の周囲に垂下する側垂部の内径が同径で、密着に接合して嵌合する蓋を紙で成形し、蓋とカップに受注広告を装飾する。
【選択図】図  ７【実用新案登録請求の範囲】
【請求項１】
カップ上端のリング状フランヂの外径と、円形状の頂板部に連なる周囲の垂下する側垂部の内径が密着して嵌合する径で、シート状の一枚の紙で一体に成形することを特徴とする紙カップの紙製蓋。
【請求項２】
紙カップの胴部外周側壁部及び蓋部に、宣伝広告を装飾することを特徴とする請求項１に記載の紙製の蓋又は紙製のカップ。
【考案の詳細な説明】
【技術分野】
【０００１】  本考案は、液体、流動体、粉体または粒状体などに使用される紙カップに好適な紙製の蓋と、これを宣伝広告に用いることに関するものである。
【背景技術】
【０００２】  従来から、紙製カップに蓋のあるものは概ね見当たらずカップのみが使用されて来た。然し紙カップには蓋は無いものとの通念で不便を承諾しているが、蓋が有れば持ち運びに液漏れの不安は無く、浮遊物の侵入も阻止され、有れば好いと万人が考え求めているものである。【０００３】  近来、社会習性や食習慣の変化から紙カップの使用頻度が増加し、紙製カップにも蓋が付く様になってきたが、その蓋は全てプラスチック製品である。
プラスチック製品は投棄や焼却により排出されるダイオキシンなど空気汚染の対象として、使用後の廃棄に大きく関心が高まり分離投棄を規定されているが実行され無いことが多い、これの改善は規定の敢行より根本を断つプラスチックの不使用が解決の方策である。【特許文献１】特開平９−１１３４２２
本発明は、紙製検尿コップであり、蓋は付いて無い。【特許文献２】特開２０００−５９６３８
本発明は、飲料用紙カップであり、発明の用途は、カップ内容物のカップ外に吹き零れを防止する発明であるが蓋は付設されて無い。【特許文献３】実用新案登録第３０８０８８２号
本考案は、紙製の蓋の考案であるが、紙カップ及び蓋に宣伝広告を装飾する請求は無い。
【考案の開示】
【考案が解決しようとする課題】
【０００４】  紙カップに蓋が用いられていないのは、従来製造思考はカップ製造技術を用いて作る思考が存続し、コストがカップと同等値となり、また蓋も丈夫で長持ちの思考が働きコスト高となり採用されていないが、本考案は安価な蓋を提供するものである。
白紙製の物が多い紙カップが年間膨大な数量で利用し消費されている。利用される内の本考案が対象とする飲料用紙カップは、カップの中に食物を詰め販売に利用する長期利用の物と異なり、コーヒーやジュース又はミネラルウォータなどの短期利用の飲料用カップで、衛生のため概ね１回の使用で廃棄されている物である。
１回の使用で廃棄する資源及び製造作業の無駄を省くため、他の用途に大いに活用すべきと思はれるものである。紙カップは白地物が多く宣伝広告の装飾に最適合し、カップ側壁面のみで無く直視される蓋部を考案したものである。
本明細書に装飾と表記する文言は、文字・図形・記号・模様又は色彩などを結合したものを総称する。
【課題を解決するための手段】
【０００５】  蓋は適当な厚さをもつシート状の１枚の紙を、蓋型の金型でプレス機で打ち抜き圧迫して成形する。宣伝広告を装飾するときはシート状印刷紙をプレスする。
紙カップに宣伝広告を装飾する白地部分は、紙カップの逆円錐筒状の外周側壁部であるが、宣伝広告の広告面は多く広い方が最も効果があり、蓋が最も効果がある。
逆円錐筒状の紙カップ側壁部は、斜面を形成し装飾を視る位置からは斜視となり、宣伝広告の効果は甚だしく劣るものである。これに対し紙カップ頂上の蓋は平面でカップを手に取った者が先ず最初に見定める、宣伝広告効果の最も良いものである。
【考案の効果】
【０００６】  本考案の蓋及びカップは全ての部分が紙製であり可燃物で構成されているため、この蓋とカップについては廃棄の際に特に他のプラスチック製の蓋つきカップと違い、分別する必要は無く、そのまま可燃ごみとして廃棄し焼却することができる。その結果、公害ガスを発生させて大気を汚染することは無く、また分別コストを省くことができる。【０００７】  紙カップの上端部にリング状にしたフランヂの外径と、蓋の側垂部の内径が同径であるから、カップに蓋を嵌合すれば接触抵抗が生じる紙厚を用い蓋は固定する。
紙カップは１回の使用が通常であるから、カップ資材の白紙や蓋は強大な耐久力を必要とせず、これによりカップも蓋も資材費は極力低減され価格は低廉となる。
カップ及び蓋に対する宣伝広告装飾は、資材原紙にサイズ適合の印刷を施し切断し、蓋とカップを成型するので低廉となる。
【考案を実施するための最良の形態】
【０００８】  本考案の実施の形態について、図面を参照ににして詳しく説明する。【０００９】  図１は、本考案の紙カップ１に用いられる紙製の蓋２の第一実施の形態の、一実施例を示す紙製の蓋２の側断面図である。
従来広く使用されている紙製カップ１に蓋２は無く、飲料販売者が自ら製造していることが多く、自家製作される物は概ねプラスチック製品を使用している。プラスチック製の場合は分別投棄が必要で有るが、紙製は分離する必要が無くそのまま可燃ごみとして廃棄し焼却ができるので、分離する手間や分別コストを省くことができる。
適当な厚さの１枚のシート状白紙で、円形状の頂板部２と周囲を取巻く適当な幅の側垂部５が、カップ１上端のリング状ブランヂ４の外径と、概ね同一径であるように打抜きプレス加工で成形する紙製の蓋２である。
蓋２の用途により、コールド用などは頂板部に数条の交差する少サイズの切り込みを付け、吸引用具の差し込み口を設けることもできる。【００１０】  図２は、紙製カップの側断面図である。
紙カップはコールド用及びホット用の飲料用や、その他各種な用途に使用されている。
紙製カップ１の上端部にリング状のブランヂ４があり、形態は逆円錐筒状に成形され筒の外周に平面の側壁部３を備えている。【００１１】  図３は、図２の紙カップ１に、図１の紙製の蓋２を嵌合したものである。
紙カップ１の上端の外方向に突起するフランヂ４と、フランヂ４の突起外径と同一径の蓋２側垂部５内側が嵌合すると、同径であるから嵌合は窮屈に密着し蓋２は脱離し難くなり蓋２の作成意図を達成する。【００１２】  図４は、蓋２の正面図である。
蓋２の頂板部に宣伝広告装飾を施したものである。【００１３】  図５は、蓋２の斜視図である。蓋２の頂板部の宣伝広告装飾のみで無く、頂板部に連続する頂板周囲の側垂部５に宣伝広告装飾を施すこともできる。【００１４】  図６は、紙製カップ１の斜視図である。
紙製カップ１の外周側壁面３に宣伝広告装飾を施したものである。【００１５】  図７は、紙カップ１と蓋２の結合斜視図である。
紙カップ１と蓋２の結合したもので、結合２部分に宣伝広告装飾を施したものである。
【図面の簡単な説明】
【００１６】
【図１】紙製の蓋の側断面図である。
【図２】紙製のカップ側断面図である。
【図３】紙製カップと蓋の結合側断面図である。
【図４】紙製蓋の正面図である。
【図５】紙製蓋の斜視図である。
【図６】紙製カップの斜視図である。
【図７】紙製カップと蓋の結合斜視図である。
【符号の説明】
１  紙製カップ
２  紙製蓋
３  側壁部
４  フランヂ
５  側垂部
【図１】
0003101102.tif 000002
【図２】
0003101102.tif 000003
【図３】
0003101102.tif 000004
【図４】
0003101102.tif 000005
【図５】
0003101102.tif 000006
【図６】
0003101102.tif 000007
【図７】
0003101102.tif 000008
【手続補正書】
【提出日】平成15年10月27日(2003.10.27)
【手続補正１】
【補正対象書類名】実用新案登録請求の範囲
【補正対象項目名】全文
【補正方法】変更
【補正の内容】
【実用新案登録請求の範囲】
【請求項１】
カップ上端のリング状フランヂと円形の頂板部が密着し、頂板部の周囲に垂下する側垂部の内径がフランヂ外径と同径で、フランヂに密着して嵌合することを特徴とする紙製の蓋。
【請求項２】
紙カップの胴外周側壁部または蓋部に、カップや蓋に自己広告を施す者以外の受注広告を装飾し、広告発注者の商品またはサービスを宣伝することを、特徴とする請求項１記載の蓋及び紙カップ。
【手続補正２】
【補正対象書類名】明細書
【補正対象項目名】０００４
【補正方法】変更
【補正の内容】
【０００４】  紙カップに蓋が用いられていないのは、従来の製造思考がカップ製造技術を用いて作る思考が存続し、コストがカップと同等値となり、また蓋も丈夫で長持ちの思考が働きコスト高となり採用されることが無かったが、本考案は思考を変えて安価な蓋を提供するものである。
白紙製の物が多い紙カップが年間膨大な数量で利用し消費されている。利用される中で本考案が対象とする液体用紙カップは、カップの中に食品などを詰め長期的に利用し耐久を必要とする物とは異なり、コーヒーやジュース又はミネラルウォータや医療カップなどの短期利用のカップで、衛生のため概ね１回限りの使用で廃棄されているカップである。１回の使用で資源及び製造努力を廃棄する無駄を省くため、他の用途で大いに活用すべき問題と思考されるので、白地が多く宣伝広告の装飾に最適合する紙カップ側壁面と、最も効果が高く直視される蓋部を考案したものである。
本明細書に装飾と表記する文言は、文字・図形・記号・模様又は色彩などを結合したものを総称する。
【手続補正３】
【補正対象書類名】明細書
【補正対象項目名】０００５
【補正方法】変更
【補正の内容】
【０００５】蓋は適当な厚さをもつシート状の紙を用いて、出来得る限り簡略工程を以て成形し価格の低廉を図る。
紙カップを使ってコーヒーやジュースを販売する飲食店または医療機関は優良な品質の紙カップの提供が有るならば、販売品や取扱品の妨げとならない宣伝広告で有り経済的に安価であれば、紙カップに表示される広告の有無は問題としないと考える業者も多くいる。
自己の店舗で使用する紙カップに、自己の宣伝広告を印刷するためには白地カップの購入価格と同等以上の印刷費用が必要とされ、単価は高くなり不経済となるので単独受注広告またはタイアップ広告を受入れる要素は充分にある。
近来、野球・サッカー会場に大人数が集まり紙カップ入り飲料が販売され、職場には給水機が設置され、コーヒーチェーン店が普及し紙カップは頻繁に使われている。広告媒体として最適でありながら、一方良い媒体を求めている広告発注希望企業も多く存在するが、互いに接点がなく利用されていない。
本案の実施は、紙カップ製造者と購入使用者（飲料販売店など即ち広告受注者）・広告発注者と受注者、発注者と受注者の広告品及び広告表示のセレクト、カップ製造者と広告印刷の交渉などを行う。
紙カップに宣伝広告を装飾する部分の逆円錐筒状の外周側壁部は、斜面を形成し装飾を視る位置からは斜視となり、宣伝広告の効果は甚だしく劣るものである。これに対し紙カップ頂上の蓋は平面でカップを手に取った者が先ず最初に見定める、宣伝広告効果の最も良いものである。
【手続補正４】
【補正対象書類名】明細書
【補正対象項目名】０００９
【補正方法】変更
【補正の内容】
【０００９】  図１は、本考案の紙カップ１に用いられる紙製の蓋２の第一実施の形態の一実施例を示す紙製の蓋２の側断面図である。
従来広く使用されている紙製カップ１に紙蓋２は付属せず、飲料販売者が自ら発注していることが多く、発注製作される物は概ねプラスチック製品を使用している。
プラスチック製は法規により分別投棄が必要で有るが、本案紙製は分離する必要が無くそのまま可燃ごみとして廃棄し焼却ができるので、分離する手間や分別コストを省くことができる。
蓋は適当な厚さのシート状白紙で、円形の頂板部６と周囲を取巻く適当な幅の側垂部５が、カップ１上端のリング状ブランヂ４の外径と、概ね同一径で有るように成形する。蓋２は用途により、コールド飲料用などは頂板部に数条の交差する小サイズの切り込み又は穴を設けて吸引用具の差し込み口を備えることもできる。